(57)【要約】      （修正有）【課題】仕切部材で仕切った上側収納部と下側収納部とに別個の収納口から荷物を収納し、かつ別個に取り出せるとともに、仕切部材が邪魔せず容易に１つの収納部とするバッグの提供。【解決手段】上面側２１に上部収納口３を設けて荷物を収納可能なバッグ本体２の内部を定着位置２０にて上下に上側収納部３１と下側収納部３２とに仕切るための仕切部材４を有し、この仕切部材４の一端部はバッグ本体２の背面側内壁５３に固着され、自由端部はバッグ本体２の正面側内壁５２に着脱自在とされ、かつバッグ本体２の正面側であって、前記仕切部材４の定着位置２０より下部に下部収納口７が設けられている。【選択図】図３
0003111574.tif 000002
【実用新案登録請求の範囲】
【請求項１】
上面側（２１）に開閉自在の上部収納口（３）を設けて荷物を収納可能なバッグ本体（２）の内部の定着位置（２０）で上下に上側収納部（３１）と下側収納部（３２）とに仕切る仕切部材（４）を有し、仕切部材（４）の一端部（４１）はバッグ本体（２）の背面側内壁（５３）に固着され、仕切部材（４）の他端部は自由端部（４２）とされていて、この自由端部（４２）はバッグ本体（２）の正面側内壁（５２）に着脱自在とされ、バッグ本体（２）の正面側（２２）であって、前記仕切部材（４）の定着位置（２０）より下側のバッグ本体（２）の下部に開閉自在の下部収納口（７）が設けられていることを特徴とするバッグ。
【請求項２】
上面側（２１）に開閉自在の上部収納口（３）を設けて荷物を収納可能なバッグ本体（２）の内部の定着位置（２０）で上下に上側収納部（３１）と下側収納部（３２）とに仕切る仕切部材（４）と、バッグ本体（２）の背面側内壁（５３）側で側部収納部（３３）を形成するように仕切る第２仕切部材（６）とを有し、仕切部材（４）の一端部（４１）は第２仕切部材（６）の中途部に固着され、仕切部材（４）の他端部は自由端部（４２）とされていて、この自由端部（４２）はバッグ本体（２）の正面側内壁（５２）に着脱自在とされ、バッグ本体（２）の正面側（２２）であって、前記仕切部材（４）の定着位置（２０）より下側のバッグ本体（２）の下部に開閉自在の下部収納口（７）が設けられていることを特徴とするバッグ。
【請求項３】
前記仕切部材（４）により上側収納部（３１）と下側収納部（３２）とに仕切られたバッグ本体（２）の上側収納部（３１）を開閉自在とするために該バッグ本体（２）の上面側（２１）に前記上部収納口（３）が設けられ、バッグ本体（２）の下側収納部（３２）を開閉自在とするために該バッグ本体（２）の正面側（２２）に前記下部収納口（７）が設けられていることを特徴とする請求項１又は請求項２に記載のバッグ。
【請求項４】
前記仕切部材（４）の自由端部（４２）がバッグ本体（２）の正面側内壁（５２）に着脱自在とするために、前記自由端部（４２）と前記正面側内壁（５２）とに各々面ファスナー（９、１０）が設けられていることを特徴とする請求項１〜３のいずれかに記載のバッグ。
【考案の詳細な説明】
【技術分野】
【０００１】
本考案は、バッグに関する。
【背景技術】
【０００２】
この種の従来技術のバッグにおいては、バッグ本体の内部の荷物の整理などバッグ使用者の利便性を向上するため、特に高校生や中学生などが教科書、ノート、筆記用具、体操服あるいは時には運動靴といった荷物が通学時の振動などによりバッグ内に入り混じることを防止するために、上面側に開閉自在の上部収納口を設けたバッグ本体の内部を上下に仕切る仕切板が設けられるようになってきている。
その一つとして、下記特許文献１には、仕切板の一端部がバッグ本体の背面側内壁に固着され、自由端部は上下に自由に移動するものが案出されている。（例えば、特許文献１参照。）。
【０００３】
また、バッグ本体の内部に着脱自在で、上面が凹んだ一定形状の皿状の「仕切り」を設け、この「仕切り」よりも下部であって、バッグ本体の側面側に開閉自在な下部収納口を設けているものもある（例えば、特許文献２参照。）。
【特許文献１】特開２００２−２３８６３０号公報（第３−４頁、第７図）
【特許文献２】実開平５−４３９１５号公報（第４−５頁、第１図）
【考案の開示】
【考案が解決しようとする課題】
【０００４】
前記従来技術によるバッグにおいては、バッグ本体の内部を上側収納部と下側収納部とに仕切板により仕切られるために、下側収納部に荷物を収納する前に上側収納部のみに荷物を収納できず、逆に上側収納部の収納した荷物の整理を乱して取り出すことなく下側収納部の荷物のみを取り出すことができなかったり、あるいは「仕切り」のバッグ本体の内部への着脱が煩雑で、かつ一定形状の「仕切り」の不要時にはバッグ本体の内部では邪魔になり別途保管しておかねばならない不便さがある。
本考案は、このような下側（又は上側）収納部と上側（又は下側）収納部とに各々別個に荷物を収納できず、収納した荷物を各々別個に取り出せなかったり、また、バッグ本体を上側収納部と下側収納部とに仕切っている仕切部材を切りかえて１つの収納部として使用するような場合に、仕切部材が邪魔になるという従来技術の問題点を解決できるようにしたバッグを提供することを目的とする。
【課題を解決するための手段】
【０００５】
本考案における課題解決のための具体的手段は、次の通りである。
すなわち、上面側に開閉自在の上部収納口を設けて荷物を収納可能なバッグ本体の内部の定着位置で上下に上側収納部と下側収納部とに仕切る仕切部材を有し、仕切部材の一端部はバッグ本体の背面側内壁に固着され、仕切部材の他端部は自由端部とされていて、この自由端部はバッグ本体の正面側内壁に着脱自在とされ、バッグ本体の正面側であって、前記仕切部材の定着位置より下側のバッグ本体の下部に開閉自在の下部収納口が設けられていることを特徴とする。
【０００６】
これによって、土などで汚れた運動靴やサッカーボールなどの荷物をバッグ本体の下側収納部に、教科書やノートなどの荷物を土などで汚すことなく上側収納部に、各々別個に収納できると同時に、収納した荷物を容易に、かつ別個に取り出せるバッグとなる。
また、上面側に開閉自在の上部収納口を設けて荷物を収納可能なバッグ本体の内部の定着位置で上下に上側収納部と下側収納部とに仕切る仕切部材と、バッグ本体の背面側内壁側で側部収納部を形成するように仕切る第２仕切部材とを有し、仕切部材の一端部は第２仕切部材の中途部に固着され、仕切部材の他端部は自由端部とされていて、この自由端部はバッグ本体の正面側内壁に着脱自在とされ、バッグ本体の正面側であって、前記仕切部材の定着位置より下側のバッグ本体の下部に開閉自在の下部収納口が設けられていることが好ましい。
【０００７】
これによって、バッグ本体の内部を上側収納部と下側収納部とに仕切る仕切部材に仕切られることのないバッグ本体の背面側内壁側に形成した上部開放の側部収納部には、大型の書面などを折り曲げることなく収納でき、上側収納部と下側収納部に加えてさらに収納部が増えて使い勝手が良いバッグとなる。
また、前記仕切部材により上側収納部と下側収納部とに仕切られたバッグ本体の上側収納部を開閉自在とするために該バッグ本体の上面側に前記上部収納口が設けられ、バッグ本体の下側収納部を開閉自在とするために該バッグ本体の正面側に前記下部収納口が設けられていることが好ましい。
【０００８】
これによって、バッグ本体の上側収納部を開閉自在とするための上部収納口、下側収納部を開閉自在とするための下部収納口と、上下各収納部に対応した別個の収納口が各々設けられたバッグとなる。
また、仕切部材の自由端部がバッグ本体の正面側内壁に着脱自在とするために、前記自由端部と正面側内壁とに各々面ファスナーが設けられていることが好ましい。
これによって、仕切部材の自由端部を正面側内壁の面ファスナーから手で引き剥がすようにすれば容易に剥がれて両者は離れて、仕切部材が切りかわってバッグ本体の内部を１つの収納部となり、一方で、バッグ本体内の荷物の荷重を仕切部材に加えても両者は容易には剥れず、上側収納部と下側収納部とに仕切られたバッグとなる。
【考案の効果】
【０００９】
本考案のバッグによれば、下側（又は上側）収納部と、上側（又は下側）収納部とに、各々別個に荷物を収納できると同時に、収納した荷物を各々別個に取り出せる。
また、折曲可能な仕切部材の自由端部がバッグ本体の正面側内壁に着脱自在で、かつ、バッグ本体の背面側内壁に密着可能であるので、仕切部材が邪魔することなく上側収納部と下側収納部とに仕切っている仕切部材を切りかえてバッグ本体の内部を１つの収納部にできるし、逆に、１つの収納部を上側収納部と下側収納部にできる。
【考案を実施するための最良の形態】
【００１０】
以下、本考案の実施の形態を図面に基づいて説明する。
図１〜７において、第１の実施の形態のバッグ１は、従来から一般に見られるバッグと同様に、やや横長の概略長方形状をしたバッグ本体２の上面側２１にスライドファスナーを有する上部収納口３が設けられている。
また、バッグ本体２の内部の定着位置２０に仕切部材４を有している。そして、バッグ本体２の内壁５の背面側内壁５３側に、仕切部材４とは別に、第２仕切部材６を有している。
【００１１】
なお、同じくスライドファスナーを有する下部収納口７が、仕切部材４の定着位置２０より下側であって、バッグ本体２の下部の正面側２２に設けられている。
バッグ本体２には底面８が設けられているのは、図１〜２などのとおりである。
バッグ本体２は、その正面側２２と対峙して背面側２３を形成し、正面側２２と背面側２３の間の左右に左側面側２４と右側面側２５とを形成している。
バッグ本体２の材質は、たとえばナイロン１００％の１６８０デニール高級素材にテフロン（登録商標）加工を施した軽くて強く防水・防汚性のもので、主に表地と裏地とからなっている。また、表地と裏地とからなるものに限定するものでもなく、どちらか一方でも良い。
【００１２】
なお、バッグ１全面において、その縫製は三つ巻縫いにして、破損、ほつれ、並びに毛羽発生などを防止している。
図３には、正面側２２寄りに設けられたスライドファスナーを移動させ、上部収納口３を開口した上面側斜視図であって、バッグ本体２の内部に、長方形である仕切部材４が示されている。
上部収納口３や下部収納口７のスライドファスナーを移動させることにより、各収納口３、７は開閉自在となる。なお、スライドファスナーに限定せず、ホックなどを用いることもできる。
【００１３】
バッグ本体２の内部の定着位置２０では、仕切部材４がバッグ本体２の内部を上下に上側収納部３１と下側収納部３２とに仕切っている。さらに、長方形である仕切部材４の一端部４１が後述する第２仕切部材６に固着され、他端部である自由端部４２がバッグ本体２の正面側内壁５２に着脱自在とされている。
すなわち、定着位置２０は、仕切部材４がバッグ本体２の内部を上下に上側収納部３１と下側収納部３２に仕切る位置であって、その位置では、仕切部材４はバッグ本体２の底面８と略平行となっている。
【００１４】
図４には、バッグ本体２の下部の開口した下部収納口７からバッグ本体２の内部の仕切部材４が示される。この図４で示される仕切部材４は、図３で示される仕切部材４と同じであり、図３では仕切部材４の上面４３が、図４ではその下面４４が示されている。下部収納口７は、バッグ本体２の正面側２２から突出し、かつスライドファスナーが下部収納口７に沿って上方半円弧状に設けられている。
仕切部材４は、バッグ本体２の背面側内壁５３に固着されているのではなく後述するように第２仕切部材６に固着され、正面側内壁５２には着脱自在とされ、バッグ本体２の内部を上下に仕切って、上側収納部３１と下側収納部３２としている。
【００１５】
長方形である仕切部材４の周囲４辺のうちで、第２仕切部材６と固着される一端部４１、正面側内壁５２と着脱自在とされた自由端部４２以外の２辺４５、４６は、バッグ本体２への荷物の収納状況などによってバッグ本体２の内部の左右側面側内壁５４、５５に接しているか、もしくは間隔を有して対峙している。
仕切部材４は、たとえばナイロン１００％の１６８０デニール高級素材にテフロン（登録商標）加工を施した柔軟で強いもので、折曲などに対しても丈夫である。
この仕切部材４は、その定着位置２０においてバッグ本体２の底面８と略平行であるが、その自由端部４２では、先端より所定幅を直角方向であって上向きに折曲できるようになっている。バッグ本体２の正面側内壁５２に向き合う面であって、前記所定幅の面４７に、前記面ファスナー９が設けられている。
【００１６】
すなわち、仕切部材４は、前記自由端部４２において、正面側内壁５２と平行になるように上向きに折曲した所定幅の面４７に設けられた面ファスナー９が、正面側内壁５２に設けられた面ファスナー１０に密着する。
仕切部材４の自由端部４２とバッグ本体２の正面側内壁５２とに設けられた一組の面ファスナー９、１０（自由端部４２の面ファスナー９と、正面側内壁５２の面ファスナー１０）により、 仕切部材４の自由端部４２とバッグ本体２の正面側内壁５２とは着脱自在となっている。
【００１７】
この一組の面ファスナー９、１０は、例えば手で仕切部材４の自由端部４２（特に、面ファスナー９が設けられた所定幅の面４７）を持って、自由端部４２の面ファスナー９を正面側内壁５２の面ファスナー１０から矢印Ａ方向に引き剥がすようにすれば容易に剥がれて両者は離れる。（図５）
しかし、仕切部材４に荷重がかかったときにも、正面側内壁５２と平行方向に折曲した仕切部材４の面４７に面ファスナー９が設けられているために、面ファスナー９を引き剥がす向きの力は加わらず、したがって上下方向の力が加わっても引き剥がれない十分な密着力を自由端部４２の面ファスナー９と正面側内壁５２の面ファスナー１０とに確保できる。
【００１８】
第２仕切部材６は、バッグ本体２の内部に、内壁５のうちの背面側内壁５３側に沿っている。
第２仕切部材６はバッグ本体２の内壁５である背面側内壁５３側に沿っており、第２仕切部材６の上部開口端６１以外の３個所の端末部分（左右、及び下部）は背面側内壁５３に固着されている。そして、第２仕切部材６は、バッグ本体２の背面側内壁５３側で側部収納部３３を形成するように、バッグ本体２の内部を仕切っている。
第２仕切部材６の上部開口端６１は、仕切部材４の定着位置２０よりも上部に設けられている。すなわち、上部開口端６１自体はバッグ本体２内部の上側収納部３１に存在する。第２仕切部材６は上側収納部３１に通じているが、下側収納部３２と通じていないことになる。
【００１９】
なお、側部収納部３３は、上側収納部３１と下側収納部３２とは別の収納部３３であって、本考案のバッグ１の使い勝手を良くするものである。
下部収納口７の正面側内壁５２側に、小型の補助収納部３４（図３、４、６）を形成するように補助仕切部材を設けている。補助収納部３４の収納口には面ファスナー（図示省略）を用いて開閉自在としている。もちろん、内壁４側の所望の位置に収納部を別途設けることができるので、上側、下側、側部並びに補助各収納部３１、３２、３３、３４に収納部を制限するものではない。
【００２０】
また、側部収納部３３を構成する第２仕切部材６の上部開口端６１は、図６（スライドファスナー図示省略）に示すように、前記上部開口端６１より上部の背面側内壁５３から吊り下がったクリップ紐１５によって、背面側内壁５３方向に押さえられている。そのため、上部開口端６１自体が背面側内壁５３から不必要に離れて垂れ下がることはない。なお、図３では、クリップ紐１６は、バッグ本体２の上面側２１などに隠れているため示されていない。
底部８の内面には、底板１２が設けられ、底板１２の端部は背面側内壁５３に固着されている。この底板１２は、重量のある靴などをバッグ本体２の下側収納部３２に収納した場合に底部８が変形することを防止するもので、変形を防止してバッグ１の持ち運びが不自由にならないようにしていると同時に、バッグ１の底部８でバッグ１を略水平面に安定して置くことができる。
【００２１】
なお、上部収納口３を一杯に開いても仕切部材４により上側収納部３１と下側収納部３２に仕切られたバッグ本体２内部の上側収納部３１を開口するに十分なものであって、上部収納口３は仕切部材４が定着位置２０にあればバッグ本体２の下側収納部３２の開口には関与しない。
同様に、下部収納口７を一杯に開いても仕切部材４により上側収納部３１と下側収納部３２に仕切られたバッグ本体２の下側収納部３２を開口するに十分なものであって、同様にバッグ本体２の上側収納部３１の開口には関与しない。（図３、４、６）
仕切部材４の自由端部４２とバッグ本体２の正面側内壁５２とが密着し、バッグ本体２の内部の定着位置３で仕切部材４が上下に上側収納部３１と下側収納部３２とに仕切る状態にあるときには、仕切部材４によってバッグ本体２の上側収納部３１に収納した荷物を上部収納口３で、下側収納部３２に収納した荷物を下部収納口７で、バッグ本体２から各々取り出せるし、収納できる。
【００２２】
定着位置２０にある仕切部材４の自由端部４２を正面側内壁５２から取り外してバッグ本体２の内部の仕切部材４の自由端部４２を下方に向け、その面ファスナー９が設けられた所定幅の面４７を仕切部材４に対して折曲させることなく、背面側内壁５３に密着させることができる。この密着させる際に、前記面ファスナー９に対応して第２仕切部材６に面ファスナー１１を設けている。
このように仕切部材４を下方に向け、背面側内壁５３に沿わせるように切りかえると、バッグ本体２の上側収納部３１と下側収納部３とに関係なく、バッグ本体２の内部を１つの収納部として荷物を収納できる。このように、本考案の仕切部材４は、自由に折り曲げ可能なもので、とくに下方に背面側内壁５３に沿わせると、１つの収納部となってバッグ本体２の内部の荷物の邪魔にならない材質を用いている。
【００２３】
なお、仕切部材４を下方に向け、背面側内壁５３に沿わせるように切りかえると、収納した荷物を下部収納口７からでも上部収納口３からでも取り出すことができるし、収納することもできる。
前記のように仕切部材４を下方に向けるばかりでなく、逆に上方に向けて、同様のことを行うようにすることもできる。
また、バッグ本体２を手で持って移動させる場合に便利なように、バッグ本体２の上面側２１には一対の手提ベルト１４が設けられ、さらに、バッグ本体２を肩に掛けて移動させるに便利なように、一本の肩掛ベルト１３が設けられている。バッグ本体２の左右側面側２４、２５と背面側２３の左右下方の計４箇所に肩掛ベルト１３の取付部１６、１７、１８、１９が設けられている。
【００２４】
本考案のバッグ１は、学生がバッグ本体２の下側（又は上側）収納部３２（又は３１）に土などで汚れた運動靴、サッカーボール、体操服などを、上側（又は下側）収納部３１（又は３２）に教科書、ノート、お弁当などを、各々別個に、特に教科書、ノート、お弁当などを上記土などで汚すことなく、バッグ本体２内に収納でき、あるいは下側（又は上側）収納部３２（又は３１）に収納した土などで汚れた運動靴、サッカーボール、体操服などを、上側（又は下側）収納部３１（又は３２）に収納した教科書、ノート、お弁当などを、各々別個に、特に教科書、ノート、お弁当などを上記土などで汚すことなく、バッグ本体２外に取り出せる。
【００２５】
図７〜１１の第２の実施の形態のバッグ１は、やや縦長の概略長方形状をしたバッグ本体２の上面側２１から左右側面側２４、２５に向け、かつ正面側２２に沿ってスライドファスナーを有する上部収納口３が設けられている。そして、バッグ本体２の内部には側部収納部３３を有せず、バッグ本体２の内部の定着位置２０にある仕切部材４がバッグ本体２の背面側内壁５３に直接固着されているのが、前記第１の実施の形態のバッグ１と相違している。
第２の実施の形態では、バッグ本体２の定着位置２０で仕切部材４が内部を上下に上側収納部３１と下側収納部３２とに仕切る状況において、上部収納口３を開口してバッグ本体２の正面側２２をバッグ本体２に対して直角方向に外側に折り曲げると、図９のように、仕切部材４の上面４３と上部収納口３におけるバッグ本体２の正面側内壁５２とが連続した水平方向の同一面状を呈して、上側収納部３１に収納した荷物を見易く、かつ取り出し易いこととなる。
【００２６】
仕切部材４は、たとえばナイロン１００％の１６８０デニール高級素材にテフロン（登録商標）加工を施した柔軟で強く、第１実施形態と同様に折曲などに対しても丈夫なものである。
下部収納口７の正面側内壁５２側に小型の補助収納部３４（図１１）を形成するように補助仕切部材を設けている上に、第２の実施の形態では、上部収納口３の正面側内壁５２側に第２補助収納部３５（図９〜１１）を同様に形成して、使い勝手を向上させている。  補助、第２補助各収納部３４、３５の収納口に各々面ファスナー（図示省略）を用いて開閉自在としている。もちろん、内壁４側の所望の位置に収納部を別途設けることができるので、上側、下側、補助、第２補助各収納部３１、３２、３４、３５に収納部を制限するものではない。
【００２７】
また、バッグ本体２の上面側２１には一本の手提ベルト１４が、バッグ本体２の背面側２３には、一対の背負ベルト１５が設けられている（図８）。第２の実施の形態のバッグ本体２、あるいは背負ベルト１５の背中への当接部分などの材質は、軽くて強く防水・防汚性のもので、表地と裏地とからなっており、荷物を収納して背負をしたときのバッグ本体２自体の型くずれを予防し、背中へのフィット感向上のためにも、表地と裏地の中にクッションフォームを挿入している。
もちろん、このクッションフォームを挿入することに限定するものではなく、厚手の表地と裏地でも良い。また、表地と裏地に限定するものでもなく、どちらか一方でも良い。
【００２８】
なお、本考案は前記実施形態における各部材の形状及びそれぞれの前後・左右・上下の位置関係は、図１〜１１に示すように構成することが最良である。しかし、前記実施形態に限定されるものではなく、部材、構成を種々変形したり、組み合わせを変更したりすることもできる。
例えば、財布などの貴重品を下側収納部に、ハンカチ、化粧品などを上側収納部に収納する高級品小物バッグとして活用できる。
【図面の簡単な説明】
【００２９】
【図１】本考案の第１の実施の形態を示す正面側斜視図である。
【図２】第１の実施の形態を示す背面側斜視図である。
【図３】上部収納口及び下部収納口を開口した上面側斜視図である。
【図４】下部収納口を開口した正面側斜視図である。
【図５】正面側内壁と着脱自在である仕切部材の一部分解上面図である。
【図６】第１の実施の形態のバッグ本体の断面側面図である。
【図７】本考案の第２の実施の形態を示す正面側斜視図である。
【図８】第２の実施の形態を示す背面側斜視図である。
【図９】上部収納口を開口した正面側斜視図である。
【図１０】正面側内壁と着脱自在である仕切部材の正面側斜視図である。
【図１１】第２の実施の形態のバッグ本体の断面側面図である。
【符号の説明】
【００３０】
１        バッグ
２        バッグ本体
２１      上面側
２２      正面側
３        上部収納口
３０      定着位置
３１      上側収納部
３２      下側収納部
３３      側部収納部
４        仕切部材
４１      一端部
４２      自由端部
５        内壁
５２      正面側内壁
５３      背面側内壁
６        第２仕切部材
７        下部収納口
９、１０  面ファスナー
【図１】
0003111574.tif 000003
【図２】
0003111574.tif 000004
【図３】
0003111574.tif 000005
【図４】
0003111574.tif 000006
【図５】
0003111574.tif 000007
【図６】
0003111574.tif 000008
【図７】
0003111574.tif 000009
【図８】
0003111574.tif 000010
【図９】
0003111574.tif 000011
【図１０】
0003111574.tif 000012
【図１１】
0003111574.tif 000013